(57)【要約】【課題】袋保持クリップ、および、そのクリップを用いたゴミ袋の装着構造を提供する。【解決手段】有底筒状のゴミ容器１００の開口縁部に係合させることにより、ゴミ容器にゴミ袋１２０を装着するゴミ袋保持クリップ１０、２０であって、ゴミ容器の開口縁部に係合させたときに、ゴミ容器の開口縁部の端面に載る頭部１１、２１と、該頭部から下方へ向けて互いに略平行に延出し、ゴミ容器の内面と外面に沿ってスライドさせられることで、ゴミ容器の開口縁部に被さるように配されたゴミ袋の上縁部近傍部分を、ゴミ容器の開口縁部との間に挟み込んで係止する押圧突起１２ａ、１３ａ、２２ａ、２３ａを備えた一対の可撓挟持片１２、１３、２２、２３と、一対の可撓挟持片間における頭部の下面に突設されて、各可撓挟持片の内面との間に隙間１５、１６、２５、２６を形成する凸部１４、２４とを具備する。【選択図】図３
2008162730.tif 000002
【特許請求の範囲】
【請求項１】
有底筒状のゴミ容器の開口縁部に係合させることにより、ゴミ容器にゴミ袋を装着するゴミ袋保持クリップであって、
前記ゴミ容器の開口縁部に係合させたときに、前記ゴミ容器の開口縁部の端面に載る頭部と、
該頭部から下方へ向けて互いに略平行に延出し、前記ゴミ容器の内面と外面に沿ってスライドさせられることで、ゴミ容器の開口縁部に被さるように配された前記ゴミ袋の上縁部近傍部分を、ゴミ容器の開口縁部との間に挟み込んで係止する押圧突起を備えた一対の可撓挟持片と、
前記一対の可撓挟持片間における前記頭部の下面に突設されて、前記各可撓挟持片の内面との間に隙間を形成する凸部と、
を具備することを特徴とするゴミ袋保持クリップ。
【請求項２】
請求項１に記載のゴミ袋保持クリップであって、
前記頭部に、２本の指先で前記頭部を摘むための互いに対向する摘み面を形成し、且つ、その摘み面を指先の凸曲面に対応した凹面で構成したことを特徴とするゴミ袋保持クリップ。
【請求項３】
請求項１に記載のゴミ袋保持クリップであって、
前記頭部に、上方を向いたシール貼り付け面を形成したことを特徴とするゴミ袋保持クリップ。
【請求項４】
請求項１〜３のいずれか１項に記載のゴミ袋保持クリップであって、
前記一対の可撓挟持片のうちの少なくとも一方の外側面に、更に他のゴミ袋を引っ掛けるためのフックを設けたことを特徴とするゴミ袋保持クリップ。
【請求項５】
請求項１〜４のいずれか１項に記載のゴミ袋保持クリップを任意の組み合わせで少なくとも２個用いて、ゴミ容器内に挿入されたゴミ袋をゴミ容器に装着する方法であって、
前記ゴミ容器内にゴミ袋を挿入して、ゴミ袋の上端開口縁の周方向の一部を折り返すことで前記ゴミ容器の開口縁部の周方向の一部に被せ、その被せた部分の両端に前記ゴミ袋保持クリップを係合させてゴミ袋を係止し、前記ゴミ袋の上端開口縁の周方向の残りの部分をゴミ容器の内部を横断する仕切りとして配設したことを特徴とするゴミ袋の装着構造。
【請求項６】
請求項５に記載のゴミ袋の装着構造であって、
前記ゴミ容器内に２つのゴミ袋を互いに隣接するように挿入して、各ゴミ袋の上端開口縁の周方向の一部を折り返すことで、前記ゴミ容器の開口縁部の周方向の一部とその残りの部分にそれぞれ被せ、そのそれぞれに被せた部分の両端に前記ゴミ袋保持クリップを係合させて各ゴミ袋を係止し、これら各ゴミ袋の上端開口縁の周方向の残りの部分を互いに隣接させた状態で、ゴミ容器の内部を横断する仕切りとして配設したことを特徴とするゴミ袋の装着構造。
【発明の詳細な説明】
【技術分野】
【０００１】
本発明は、オフィスや一般家庭などのゴミ容器に装着されるゴミ袋の保持用のクリップ、および、そのクリップを用いたゴミ袋の装着構造に関するものである。
【背景技術】
【０００２】
従来、この種のクリップとして、特許文献１に記載のものが知られている。このクリップは、有底筒状のゴミ容器の開口縁部に係合させることにより、ゴミ容器にゴミ袋を装着するゴミ袋保持クリップであって、ゴミ容器の開口縁部に係合させたときに、ゴミ容器の開口縁部の端面に載る頭部と、該頭部から下方へ向けて互いに略平行に延出し、ゴミ容器の内面と外面に沿ってスライドさせられることで、ゴミ容器の開口縁部に被さるように配されたゴミ袋の上縁部近傍部分を、ゴミ容器の開口縁部との間に挟み込んで係止する押圧突起を備えた一対の可撓挟持片と、を具備している。
【０００３】
【特許文献１】特開２００３−１９２１０３号公報
【発明の開示】
【発明が解決しようとする課題】
【０００４】
ところで、ゴミ容器の開口縁部の肉厚は種々のものがあり、一対の可撓挟持片でゴミ容器の開口縁部を挟んだとき、肉厚の大きさ如何によってガタつきが発生し、ゴミ袋がずれやすくなってしまうことがあった。
【０００５】
本発明は、上記事情を考慮し、ゴミ容器の開口縁部の肉厚によらず、安定してゴミ袋を保持することのできるゴミ袋保持クリップ、および、そのクリップを用いたゴミ袋の装着構造を提供することを目的とする。
【課題を解決するための手段】
【０００６】
請求項１の発明は、有底筒状のゴミ容器の開口縁部に係合させることにより、ゴミ容器にゴミ袋を装着するゴミ袋保持クリップであって、前記ゴミ容器の開口縁部に係合させたときに、前記ゴミ容器の開口縁部の端面に載る頭部と、該頭部から下方へ向けて互いに略平行に延出し、前記ゴミ容器の内面と外面に沿ってスライドさせられることで、ゴミ容器の開口縁部に被さるように配された前記ゴミ袋の上縁部近傍部分を、ゴミ容器の開口縁部との間に挟み込んで係止する押圧突起を備えた一対の可撓挟持片と、前記一対の可撓挟持片間における前記頭部の下面に突設されて、前記各可撓挟持片の内面との間に隙間を形成する凸部と、を具備することを特徴とする。
【０００７】
請求項２の発明は、請求項１に記載のゴミ袋保持クリップであって、前記頭部に、２本の指先で前記頭部を摘むための互いに対向する摘み面を形成し、且つ、その摘み面を指先の凸曲面に対応した凹面で構成したことを特徴とする。
【０００８】
請求項３の発明は、請求項１に記載のゴミ袋保持クリップであって、前記頭部に、上方を向いたシール貼り付け面を形成したことを特徴とする。
【０００９】
請求項４の発明は、請求項１〜３のいずれか１項に記載のゴミ袋保持クリップであって、前記一対の可撓挟持片のうちの少なくとも一方の外側面に、更に他のゴミ袋を引っ掛けるためのフックを設けたことを特徴とする。
【００１０】
請求項５の発明は、請求項１〜４のいずれか１項に記載のゴミ袋保持クリップを任意の組み合わせで少なくとも２個用いて、ゴミ容器内に挿入されたゴミ袋をゴミ容器に装着する方法であって、前記ゴミ容器内にゴミ袋を挿入して、ゴミ袋の上端開口縁の周方向の一部を折り返すことで前記ゴミ容器の開口縁部の周方向の一部に被せ、その被せた部分の両端に前記ゴミ袋保持クリップを係合させてゴミ袋を係止し、前記ゴミ袋の上端開口縁の周方向の残りの部分をゴミ容器の内部を横断する仕切りとして配設したことを特徴とする。
【００１１】
請求項６の発明は、請求項５に記載のゴミ袋の装着構造であって、前記ゴミ容器内に２つのゴミ袋を互いに隣接するように挿入して、各ゴミ袋の上端開口縁の周方向の一部を折り返すことで、前記ゴミ容器の開口縁部の周方向の一部とその残りの部分にそれぞれ被せ、そのそれぞれに被せた部分の両端に前記ゴミ袋保持クリップを係合させて各ゴミ袋を係止し、これら各ゴミ袋の上端開口縁の周方向の残りの部分を互いに隣接させた状態で、ゴミ容器の内部を横断する仕切りとして配設したことを特徴とする。
【発明の効果】
【００１２】
請求項１の発明によれば、ゴミ容器の内部にゴミ袋を挿入し、ゴミ袋の上端開口縁を折り返してゴミ容器の開口縁部に被せ、その状態で一対の可撓挟持片を、ゴミ容器の内面と外面に沿ってスライドさせることにより、ゴミ袋の上縁部近傍部分を、ゴミ容器の開口縁部と可撓挟持片との間に挟み込んで係止することができる。
【００１３】
その際、ゴミ容器の開口縁部の厚さが薄い場合は、ゴミ容器の開口縁部が、頭部の下面の凸部と可撓挟持片との間に確保した隙間に入り込むので、ガタつきなくクリップを装着することができ、ゴミ袋をずれないように確実に固定することができる。また、ゴミ容器の開口縁部の厚さが厚い場合は、ゴミ容器の開口縁部の端面に凸部の下面が直接押し当たることにより、ガタつきなくクリップを装着することができ、ゴミ袋をずれないように確実に固定することができる。即ち、ゴミ容器の開口縁部の厚みに関係なく、ゴミ袋を確実に保持固定することができる。
【００１４】
請求項４の発明によれば、可撓挟持片のうちの少なくとも一方の外側面にフックを設けたので、更に他のゴミ袋を引っ掛けることができ、多種類のゴミの分別に有効利用することができる。
【００１５】
請求項５の発明によれば、ゴミ袋を仕切りにして、ゴミの分別収集を行うことができる。特にゴミ袋を設けた側は、ゴミ袋ごとそのまま捨てられるゴミを入れるようにすれば、ゴミ容器を汚すこともなくなる。
【００１６】
請求項６の発明によれば、２つのゴミ袋を用いて分別収集することができる。
【発明を実施するための最良の形態】
【００１７】
以下、本発明の実施形態を図面を参照して説明する。
図１は第１実施形態のゴミ袋保持クリップの構成を示し、（ａ）は上から見た斜視図、（ｂ）は下から見た斜視図、図２は第２実施形態のゴミ袋保持クリップの構成を示し、（ａ）は上から見た斜視図、（ｂ）は下から見た斜視図、図３は第１実施形態のクリップと第２実施形態のクリップをペアにしてゴミ袋をゴミ容器に固定した状態を示す断面図、図４はゴミ容器の開口縁部の肉厚が厚い場合の第１実施形態のクリップの装着部の断面図、図５は第１実施形態のクリップと第２実施形態のクリップをペアにしてゴミ袋をゴミ容器の半分の領域に固定した状態を示す斜視図、図６は２つのゴミ袋を１個のゴミ容器に装着した状態を示す斜視図である。
【００１８】
図１、図２にそれぞれ単独で示す第１、第２実施形態のゴミ袋保持クリップ１０、２０は、図３、図５に示すように、有底筒状のゴミ容器１００の開口縁部に係合させることにより、ゴミ容器１００にゴミ袋１２０を装着するためのものであり、ゴミ容器１００の開口縁部に係合させたときに、ゴミ容器１００の開口縁部の上端面に載る頭部１１、２１と、該頭部１１、２１から下方へ向けて互いに略平行に延出し、ゴミ容器１００の内面と外面に沿ってスライドさせられることで、ゴミ容器１００の開口縁部に被さるように配されたゴミ袋１２０の上縁部近傍部分を、ゴミ容器１００の開口縁部との間に挟み込んで係止する押圧突起１２ａ、１３ａ、２２ａ、２３ａを備えた一対の可撓挟持片１２、１３、２２、２３と、一対の可撓挟持片１２、１３、２２、２３間における頭部１１、２１の下面に突設されて、各可撓挟持片１２、１３、２２、２３の内面との間に隙間１５、１６、２５、２６を形成する凸部１４、２４と、を具備している。
【００１９】
一対の可撓挟持片１２、１３、２２、２３のうち、一方の可撓挟持片１２、２２は、他方の可撓挟持片１３、２３よりも長く形成され、対向する押圧突起１２ａ、１３ａ、２２ａ、２３ａの位置は、上下方向に若干ずれている。各押圧突起１２ａ、１３ａ、２２ａ、２３ａは側面視形状が山形のもので、上下に、ゴミ容器１００の開口縁部への脱着を容易にするための斜面を有している。また、短い方の可撓挟持片１３、２３の先端には、外側へ向けての広がり部１３ｂ、２３ｂが設けられ、ゴミ容器１００の開口縁部への装着がスムーズにできるようになっている。
【００２０】
また、図１に示すように、第１実施形態のゴミ袋保持クリップ１０の頭部１１には、２本の指先で頭部１１を摘むための互いに対向する摘み面１１ａが形成されており、その摘み面１１が、指先の凸曲面に対応した凹面で構成されている。
【００２１】
また、図２に示すように、第２実施形態のゴミ袋保持クリップ２０の頭部２１には、上方を向いたシール貼り付け面２１ａが形成されており、ゴミの種類を記入したシールを貼り付けられるようになっている。また、第２実施形態のゴミ袋保持クリップ２０の長い方の可撓挟持片（ゴミ容器１００の外面側に位置する可撓挟持片）２２の外側面には、更に他のゴミ袋を引っ掛けるためのフック２７が設けられている。
【００２２】
上記構成のクリップを用いてゴミ袋を固定する場合は、例えば、第１実施形態のクリップ１０を２個ペアで用いるか、第２実施形態のクリップ２０を２個ペアで用いるか、第１実施形態のクリップ１０と第２実施形態のクリップ２０を１個ずつペアで用いるかする。
【００２３】
図３はゴミ容器１００の開口縁部の肉厚が薄い場合で、第１実施形態のクリップ１０と第２実施形態のクリップ２０を１個ずつペアで用いた場合を示している。
【００２４】
この場合は、まず、ゴミ容器１００の内部にゴミ袋１２０を挿入し、ゴミ袋１２０の上端開口縁を折り返してゴミ容器１００の開口縁部に被せる。次いで、その状態でゴミ袋保持クリップ１０、２０の各一対の可撓挟持片１２、１３、２２、２３を、ゴミ容器１００の内面と外面に沿ってスライドさせることにより、ゴミ袋１２０の上縁部近傍部分を、ゴミ容器１００の開口縁部と可撓挟持片１２、１３、２２、２３との間に挟み込んで係止する。
【００２５】
その際、ゴミ容器１００の開口縁部の厚さが薄い場合は、ゴミ容器１００の開口縁部が、頭部１１、２１の下面の凸部１４、２４と可撓挟持片１３、２３との間に確保した隙間１６、２６に入り込むので、ガタつきなくクリップ１０、２０を装着することができ、ゴミ袋１２０をずれないように確実に固定することができる。
【００２６】
また、図４に示すように、ゴミ容器１００の開口縁部の厚さが厚い場合には、ゴミ容器１００の開口縁部の上端面に凸部１４（２４）の下面が直接押し当たることにより、ガタつきなくクリップ１０（２０）を装着することができるので、ゴミ袋１２０をずれないように確実に固定することができる。即ち、第１実施形態のゴミ袋保持クリップ１０も第２実施形態のゴミ袋保持クリップ２０も、ゴミ容器１００の開口縁部の厚みに関係なく、ゴミ袋１２０を確実に保持固定することができる。
【００２７】
この場合、第１実施形態のゴミ袋保持クリップ１０の頭部１１には、凹面で形成した摘み面１１ａを設けているので、指先でその摘み面１１ａを軽く摘むだけで、滑ることなく確実に頭部１１を保持することができて、クリップ１０をゴミ容器１００の開口縁部に対して脱着することができる。また、第２実施形態のゴミ袋保持クリップ２０の頭部２１には、シール貼り付け面２１ａを設けているので、そのシール貼り付け面２１ａにゴミの種類を区別するためのシールを貼り付けることにより、ゴミの分別をしやすくすることができる。
【００２８】
次に、ゴミを分別できるようにゴミ袋を１個のゴミ容器に装着する場合の例を説明する。
その場合は、例えば、図５に示すように、ゴミ容器１００内にゴミ袋１２０を挿入して、ゴミ袋１２０の上端開口縁の周方向の約２／３程度を折り返すことで、ゴミ容器１００の開口縁部の周方向の半分の領域に被せる。そして、その被せた部分の両端に、第１実施形態のゴミ袋保持クリップ１０と第２実施形態のゴミ袋保持クリップ２０を係合させてゴミ袋１２０を係止し、それにより、ゴミ袋１２０の上端開口縁の周方向の残りの約１／３の部分を、ゴミ容器１００の内部を直径方向に横断する仕切りとして配設する。
【００２９】
こうすることで、ゴミ袋１２０を仕切りにして、ゴミ容器１００内を二分することができるので、ゴミの分別収集を行うことができる。特にゴミ袋１２０を設けた側は、ゴミ袋１２０ごと中のゴミを捨てられるので、ゴミ容器１００を汚すこともなくなる。
【００３０】
また、図６に示すように、ゴミ容器１００内に２つのゴミ袋１２０を互いに隣接するように挿入して、各ゴミ袋１２０の上端開口縁の周方向の約２／３程度を折り返すことで、ゴミ容器１００の開口縁部の周方向の各半分ずつにそれぞれを被せ、そのそれぞれに被せた部分の両端に第１実施形態と第２実施形態のゴミ袋保持クリップ１０、２０をそれぞれ係合させて各ゴミ袋１２０を係止し、これら各ゴミ袋１２０の上端開口縁の周方向の残りの１／３の部分を、互いに隣接させた状態で、ゴミ容器１００の内部を直径方向に横断する仕切りとして配設する。
【００３１】
こうすることにより、２つのゴミ袋１２０を用いて、それぞれ分別収集することができる。
【００３２】
なお、第２実施形態のゴミ袋保持クリップ２０のフック２７に更に他のゴミ袋１２０を引っ掛ければ、更に他の種類のゴミの分別にも利用できる。
【図面の簡単な説明】
【００３３】
【図１】本発明の第１実施形態のゴミ袋保持クリップの構成を示し、（ａ）は上から見た斜視図、（ｂ）は下から見た斜視図である。
【図２】本発明の第２実施形態のゴミ袋保持クリップの構成を示し、（ａ）は上から見た斜視図、（ｂ）は下から見た斜視図である。
【図３】本発明の第１実施形態のクリップと第２実施形態のクリップをペアにしてゴミ袋をゴミ容器に固定した状態を示す断面図である。
【図４】ゴミ容器の開口縁部の肉厚が厚い場合の本発明の第１実施形態のクリップの装着部の断面図である。
【図５】本発明の第１実施形態のクリップと第２実施形態のクリップをペアにして、ゴミ袋をゴミ容器の半分の領域に固定した状態を示す斜視図である。
【図６】本発明の第１実施形態のクリップと第２実施形態のクリップをペアにして、２つのゴミ袋を１個のゴミ容器に装着した状態を示す斜視図である。
【符号の説明】
【００３４】
１０，２０  ゴミ袋保持クリップ
１１，２１  頭部
１１ａ  摘み面
２１ａ  シール貼り付け面
１２，１３，２２，２３  可撓挟持片
１２ａ，１３ａ，２２ａ，２３ａ  押圧突起
１４，２４  凸部
１５，１６，２５，２６  隙間
２７  フック
１００  ゴミ容器
１２０  ゴミ袋
【図１】
2008162730.tif 000003
【図２】
2008162730.tif 000004
【図３】
2008162730.tif 000005
【図４】
2008162730.tif 000006
【図５】
2008162730.tif 000007
【図６】
2008162730.tif 000008